(57)【要約】【課題】利用者が継続的に興味を持ちつづける所定サービスを提供し、特定スペースの利用を促進することができる、データ処理システムを提供する。【解決手段】データ処理システム１００は、特定スペースの利用者を個人識別すると、その利用者ごとに継続的なデジタルコンテンツＤＣの一部を提供する。このため、利用者が継続的に興味を持ちつづける特別なデジタルコンテンツＤＣを特定スペースで提供することができる。従って、特定スペースの利用を積極的に促進することができるので、例えば、その特定スペースで消費される特定消費商品の販売を促進するようなことができる。【選択図】図１
2009037554.tif 000002
【特許請求の範囲】
【請求項１】
特定スペースで利用者に所定サービスを提供するためのデータ処理システムであって、
継続的なデジタルコンテンツを記憶するコンテンツ記憶部と、
前記特定スペースに設置されていて前記デジタルコンテンツを表示出力するディスプレイデバイスと、
前記特定スペースで前記利用者を個人識別する個人識別部と、
個人識別される前記利用者ごとに前記デジタルコンテンツの出力経過状況を記録する履歴記録部と、
前記利用者が個人識別されると前記出力経過状況に対応して前記デジタルコンテンツの一部を前記ディスプレイデバイスに表示出力させる出力制御部と、
を有するデータ処理システム。
【請求項２】
前記特定スペースで消費される特定消費商品から商品ＩＤ（Identity）データを取得する商品読取部と、
取得された前記商品ＩＤデータにより前記特定消費商品を確認する商品確認部とを、さらに有し、
前記出力制御部は、前記特定消費商品が確認されないと前記デジタルコンテンツを前記ディスプレイデバイスに表示出力させない請求項１に記載のデータ処理システム。
【請求項３】
前記コンテンツ記憶部は、複数種類の前記デジタルコンテンツを記憶しており、
前記商品確認部は、複数種類の前記特定消費商品ごとに前記商品ＩＤデータを確認し、
前記出力制御部は、前記特定消費商品の種類に対応して前記ディスプレイデバイスに表示出力させる前記デジタルコンテンツの種類を切り換える請求項２に記載のデータ処理システム。
【請求項４】
前記商品ＩＤデータは、前記特定消費商品に表記されている商品バーコードに記録されており、
前記商品読取部は、前記商品バーコードを読取走査するバーコードリーダからなる請求項２または３に記載のデータ処理システム。
【請求項５】
前記商品ＩＤデータは、前記特定消費商品に貼付されているＲＦＩＤ（Radio Frequency Identification）チップに記録されており、
前記商品読取部は、前記ＲＦＩＤチップから前記商品ＩＤデータを取得するＲＦＩＤリーダからなる請求項２または３に記載のデータ処理システム。
【請求項６】
前記特定スペースは、特定の年齢層のみ入場が許可される年齢制限スペースからなり、
前記特定消費商品は、前記年齢層の対象者のみ購入が許可される年齢制限商品からなる請求項２ないし５の何れか一項に記載のデータ処理システム。
【請求項７】
前記商品読取部は、前記特定スペースの入口近傍に配置されており、
前記特定消費商品が確認されると前記特定スペースへの入場を許可する入場許可部を、さらに有する請求項６に記載のデータ処理システム。
【請求項８】
前記年齢制限商品は、タバコパックからなり、
前記特定スペースは、喫煙スペースからなる請求項６または７に記載のデータ処理システム。
【請求項９】
前記商品ＩＤデータを取得日時とともに蓄積するデータ蓄積部と、
前記取得日時とともに蓄積された前記商品ＩＤデータの集計結果を出力する集計出力部とを、
さらに有する請求項２ないし８の何れか一項に記載のデータ処理システム。
【請求項１０】
複数の前記特定スペースごとに属性データを記憶しているスペース記憶部を、さらに有し、
前記データ蓄積部は、複数の前記特定スペースごとに前記商品ＩＤデータを蓄積し、
前記集計出力部は、前記集計結果を前記特定スペースごとに前記属性データとともに出力する請求項９に記載のデータ処理システム。
【請求項１１】
前記個人識別部は、前記利用者が所持している個人識別媒体を確認する請求項１ないし１０の何れか一項に記載のデータ処理システム。
【請求項１２】
前記特定スペースは、特定の年齢層のみ入場が許可される年齢制限スペースからなり、
前記個人識別媒体は、前記年齢層の対象者のみ所持が許可される年齢制限媒体からなる請求項１ないし１１の何れか一項に記載のデータ処理システム。
【請求項１３】
前記個人識別部は、前記特定スペースの入口近傍に配置されており、
前記個人識別媒体が確認されると前記特定スペースへの入場を許可する入場許可部を、さらに有する請求項１２に記載のデータ処理システム。
【請求項１４】
前記個人識別部による個人識別結果を取得日時とともに蓄積するデータ蓄積部と、
前記取得日時とともに蓄積された前記個人識別結果の集計結果を出力する集計出力部とを、
さらに有する請求項１ないし１３の何れか一項に記載のデータ処理システム。
【請求項１５】
複数の前記特定スペースごとに属性データを記憶しているスペース記憶部を、さらに有し、
前記データ蓄積部は、複数の前記特定スペースごとに前記個人識別部による前記個人識別結果を蓄積し、
前記集計出力部は、前記集計結果を前記特定スペースごとに前記属性データとともに出力する請求項１４に記載のデータ処理システム。
【請求項１６】
前記ディスプレイデバイスと前記個人識別部とが複数の前記特定スペースに設置されており、
前記履歴記録部は、複数の前記特定スペースを横断して前記利用者ごとに前記出力経過状況を記録し、
前記出力制御部は、前記利用者が個人識別された前記特定スペースに前記出力経過状況に対応した前記デジタルコンテンツを配信する請求項１ないし１５の何れか一項に記載のデータ処理システム。
【請求項１７】
前記個人識別部は、前記特定スペースに設置されている複数の前記ディスプレイデバイスの少なくとも一部ごとに前記利用者を個人識別し、
前記出力制御部は、前記利用者の個人識別に対応した位置の前記ディスプレイデバイスに前記デジタルコンテンツを表示出力させる請求項１ないし１６の何れか一項に記載のデータ処理システム。
【請求項１８】
前記特定スペースは、前記利用者が着席する複数の座席と複数の前記ディスプレイデバイスとの少なくとも一部が対応して設置されており、
前記個人識別部は、前記座席ごとに前記利用者を個人識別し、
前記出力制御部は、前記利用者が個人識別された前記座席に対応した位置の前記ディスプレイデバイスに前記デジタルコンテンツを表示出力させる請求項１７に記載のデータ処理システム。
【請求項１９】
前記ディスプレイデバイスは、視野角が所定範囲に限定されている狭視野角ディスプレイからなり、
相互に対応している前記座席と前記ディスプレイデバイスとは、前記ディスプレイデバイスの前記視野角に前記座席が配置されているとともに、前記座席に着席した前記利用者の視認範囲に前記ディスプレイデバイスが配置されている請求項１８に記載のデータ処理システム。
【請求項２０】
相互に対応していない前記座席と前記ディスプレイデバイスとは、前記ディスプレイデバイスの前記視野角の外側に前記座席が配置されているとともに、前記座席に着席した前記利用者の視認範囲の外側に前記ディスプレイデバイスが配置されている請求項１９に記載のデータ処理システム。
【請求項２１】
前記ディスプレイデバイスは、複数の前記デジタルコンテンツを各々所定の視野角で複数方向に表示出力するマルチビューディスプレイからなり、
相互に対応している前記座席と前記ディスプレイデバイスとは、前記ディスプレイデバイスの複数の前記視野角の各々に前記座席が配置されているとともに、前記座席に着席した前記利用者の視認範囲に前記ディスプレイデバイスが配置されており、
前記個人識別部は、前記座席ごとに前記利用者を個人識別し、
前記出力制御部は、前記利用者が個人識別された前記座席に対応した表示方向で前記ディスプレイデバイスに前記デジタルコンテンツを表示出力させる請求項１９に記載のデータ処理システム。
【請求項２２】
顧客訴求データを記憶するデータ記憶部を、さらに有し、
前記出力制御部は、前記デジタルコンテンツとともに前記顧客訴求データを前記ディスプレイデバイスに表示出力させる請求項１ないし２１の何れか一項に記載のデータ処理システム。
【請求項２３】
前記出力制御部は、前記ディスプレイデバイスに最初に前記顧客訴求データを表示出力させてから前記デジタルコンテンツを表示出力させる請求項２２に記載のデータ処理システム。
【請求項２４】
前記出力制御部は、前記ディスプレイデバイスに常時は前記顧客訴求データを表示出力させ、前記利用者が個人識別されたときに前記デジタルコンテンツを表示出力させる請求項２２に記載のデータ処理システム。
【発明の詳細な説明】
【技術分野】
【０００１】
本発明は、特定スペースで利用者に所定サービスを提供するためのデータ処理システムに関し、特に、特定スペースの利用により特定商品の販売を促進することができるデータ処理システムに関する。
【背景技術】
【０００２】
現在、タバコ喫煙に関しては分煙が一般に要求されている。このため、現在では喫煙スペースなどが各所に用意されている。換言すると、現在では一般に喫煙スペースでない場所は禁煙スペースと認識されている。
【０００３】
このため、自宅以外の場所でタバコ喫煙するためには、喫煙スペースを利用する必要がある。従って、喫煙スペースの利用を促進することにより、タバコパックの販売を促進することが期待されている。しかし、現在の喫煙スペースは、タバコ喫煙のみを目的とした隔離エリアでしかない。
【０００４】
また、人間はタバコ喫煙に片手と呼吸器系しか必要としない。つまり、喫煙には情報の入力量が最大の感覚器官である視覚を使用せず、情報の出力量が最大である手指も片方しか使用しないので、喫煙者は一般的に手持ちぶさたである。
【０００５】
このため、喫煙スペースの利用者には、喫煙と同時に利用できる娯楽の要求もあると予想される。例えば、喫煙スペースにテレビ装置を設置しておき、放送番組を提供するようなことが想定できる。また、いわゆるコミック本や雑誌などを喫煙スペースに設置しておき、喫煙者に自由に利用させるようなことも想定できる。
【０００６】
また、本出願人が過去に出願したデータ処理システムでは、喫煙スペースにディスプレイデバイスを設置しておき、利用者に広告データを提供する(例えば、特許文献１参照)。
【特許文献１】特開２００４−１２６３７３号公報
【特許文献２】特開２００３−３３０３９６号公報
【発明の開示】
【発明が解決しようとする課題】
【０００７】
しかし、雑誌などは持ち帰られることもあり、喫煙に起因して汚損することもある。さらに、放送番組や雑誌などは、喫煙スペースでなくとも日常的に提供されているものであり、一般ユーザにとって特別なものではない。
【０００８】
従って、テレビ装置による番組放送や、雑誌やコミック本の設置などのサービスを喫煙スペースで提供しても、これにより喫煙スペースの利用を積極的に促進するようなことは困難である。
【０００９】
特許文献１の技術では、日常的ではない特別な広告データを喫煙スペースで利用者に提供することができる。しかし、広告は提供する企業には重要であるが、視聴する一般ユーザに積極的に興味を持たせることは困難である。
【００１０】
特に、喫煙者は喫煙スペースを毎日のように繰り返し利用する可能性がある。このような場合、喫煙スペースの利用者は同一のコンテンツを繰り返し視聴することになる。従って、第一回目は興味を持ったとしても、第二回目からは興味を失うことになる。
【００１１】
このため、喫煙スペースで利用者に特別な広告データなどのデジタルコンテンツを提供したとしても、これにより喫煙スペースの利用を積極的に促進するようなことは困難である。
【００１２】
本発明は上述のような課題に鑑みてなされたものであり、利用者が継続的に興味を持ちつづける所定サービスを提供し、特定スペースの利用を促進することができる、データ処理システムを提供するものである。
【課題を解決するための手段】
【００１３】
本発明のデータ処理システムは、特定スペースで利用者に所定サービスを提供するためのデータ処理システムであって、継続的なデジタルコンテンツを記憶するコンテンツ記憶部と、特定スペースに設置されていてデジタルコンテンツを表示出力するディスプレイデバイスと、特定スペースで利用者を個人識別する個人識別部と、個人識別される利用者ごとにデジタルコンテンツの出力経過状況を記録する履歴記録部と、利用者が個人識別されると出力経過状況に対応してデジタルコンテンツの一部をディスプレイデバイスに表示出力させる出力制御部と、を有する。
【００１４】
従って、本発明のデータ処理システムでは、特定スペースの利用者を個人識別すると、その利用者ごとに継続的なデジタルコンテンツの一部を提供する。このため、利用者が継続的に興味を持ちつづける特別なデジタルコンテンツを特定スペースで提供することができるので、特定スペースの利用を積極的に促進することができる。
【００１５】
さらに、本発明のデータ処理システムにおいて、特定スペースで消費される特定消費商品から商品ＩＤデータを取得する商品読取部と、取得された商品ＩＤデータにより特定消費商品を確認する商品確認部とを、さらに有し、出力制御部は、特定消費商品が確認されないとデジタルコンテンツをディスプレイデバイスに表示出力させなくともよい。
【００１６】
また、本発明のデータ処理システムにおいて、コンテンツ記憶部は、複数種類のデジタルコンテンツを記憶しており、商品確認部は、複数種類の特定消費商品ごとに商品ＩＤデータを確認し、出力制御部は、特定消費商品の種類に対応してディスプレイデバイスに表示出力させるデジタルコンテンツの種類を切り換えてもよい。
【００１７】
また、本発明のデータ処理システムにおいて、商品ＩＤデータは、特定消費商品に表記されている商品バーコードに記録されており、商品読取部は、商品バーコードを読取走査するバーコードリーダからなってもよい。
【００１８】
また、本発明のデータ処理システムにおいて、商品ＩＤデータは、特定消費商品に貼付されているＲＦＩＤチップに記録されており、商品読取部は、ＲＦＩＤチップから商品ＩＤデータを取得するＲＦＩＤリーダからなってもよい。
【００１９】
また、本発明のデータ処理システムにおいて、特定スペースは、特定の年齢層のみ入場が許可される年齢制限スペースからなり、特定消費商品は、上記の年齢層の対象者のみ購入が許可される年齢制限商品からなってもよい。
【００２０】
また、本発明のデータ処理システムにおいて、商品読取部は、特定スペースの入口近傍に配置されており、特定消費商品が確認されると特定スペースへの入場を許可する入場許可部を、さらに有してもよい。
【００２１】
また、本発明のデータ処理システムにおいて、年齢制限商品は、タバコパックからなり、特定スペースは、喫煙スペースからなってもよい。
【００２２】
また、本発明のデータ処理システムにおいて、商品ＩＤデータを取得日時とともに蓄積するデータ蓄積部と、取得日時とともに蓄積された商品ＩＤデータの集計結果を出力する集計出力部とを、さらに有してもよい。
【００２３】
また、本発明のデータ処理システムにおいて、個人識別部は、利用者が所持している個人識別媒体を確認してもよい。
【００２４】
また、本発明のデータ処理システムにおいて、特定スペースは、特定の年齢層のみ入場が許可される年齢制限スペースからなり、個人識別媒体は、年齢層の対象者のみ所持が許可される年齢制限媒体からなってもよい。
【００２５】
また、本発明のデータ処理システムにおいて、個人識別部は、特定スペースの入口近傍に配置されており、個人識別媒体が確認されると特定スペースへの入場を許可する入場許可部を、さらに有してもよい。
【００２６】
また、本発明のデータ処理システムにおいて、個人識別部による個人識別結果を取得日時とともに蓄積するデータ蓄積部と、取得日時とともに蓄積された個人識別結果の集計結果を出力する集計出力部とを、さらに有してもよい。
【００２７】
また、本発明のデータ処理システムにおいて、複数の特定スペースごとに属性データを記憶しているスペース記憶部を、さらに有し、データ蓄積部は、複数の特定スペースごとに個人識別部による個人識別結果を蓄積し、集計出力部は、集計結果を特定スペースごとに属性データとともに出力してもよい。
【００２８】
また、本発明のデータ処理システムにおいて、ディスプレイデバイスと個人識別部とが複数の特定スペースに設置されており、履歴記録部は、複数の特定スペースを横断して利用者ごとに出力経過状況を記録し、出力制御部は、利用者が個人識別された特定スペースに出力経過状況に対応したデジタルコンテンツを配信してもよい。
【００２９】
また、本発明のデータ処理システムにおいて、個人識別部は、特定スペースに設置されている複数のディスプレイデバイスの少なくとも一部ごとに利用者を個人識別し、出力制御部は、利用者の個人識別に対応した位置のディスプレイデバイスにデジタルコンテンツを表示出力させてもよい。
【００３０】
また、本発明のデータ処理システムにおいて、特定スペースは、利用者が着席する複数の座席と複数のディスプレイデバイスとの少なくとも一部が対応して設置されており、個人識別部は、座席ごとに利用者を個人識別し、出力制御部は、利用者が個人識別された座席に対応した位置のディスプレイデバイスにデジタルコンテンツを表示出力させてもよい。
【００３１】
また、本発明のデータ処理システムにおいて、ディスプレイデバイスは、視野角が所定範囲に限定されている狭視野角ディスプレイからなり、相互に対応している座席とディスプレイデバイスとは、ディスプレイデバイスの視野角に座席が配置されているとともに、座席に着席した利用者の視認範囲にディスプレイデバイスが配置されていてもよい。
【００３２】
また、本発明のデータ処理システムにおいて、相互に対応していない座席とディスプレイデバイスとは、ディスプレイデバイスの視野角の外側に座席が配置されているとともに、座席に着席した利用者の視認範囲の外側にディスプレイデバイスが配置されててもよい。
【００３３】
また、本発明のデータ処理システムにおいて、ディスプレイデバイスは、複数のデジタルコンテンツを各々所定の視野角で複数方向に表示出力するマルチビューディスプレイからなり、相互に対応している座席とディスプレイデバイスとは、ディスプレイデバイスの複数の視野角の各々に座席が配置されているとともに、座席に着席した利用者の視認範囲にディスプレイデバイスが配置されており、個人識別部は、座席ごとに利用者を個人識別し、出力制御部は、利用者が個人識別された座席に対応した表示方向でディスプレイデバイスにデジタルコンテンツを表示出力させてもよい。
【００３４】
また、本発明のデータ処理システムにおいて、顧客訴求データを記憶するデータ記憶部を、さらに有し、出力制御部は、デジタルコンテンツとともに顧客訴求データをディスプレイデバイスに表示出力させてもよい。
【００３５】
また、本発明のデータ処理システムにおいて、出力制御部は、ディスプレイデバイスに最初に顧客訴求データを表示出力させてからデジタルコンテンツを表示出力させてもよい。
【００３６】
また、本発明のデータ処理システムにおいて、出力制御部は、ディスプレイデバイスに常時は顧客訴求データを表示出力させ、利用者が個人識別されたときにデジタルコンテンツを表示出力させてもよい。
【００３７】
なお、本発明の各種の構成要素は、その機能を実現するように形成されていればよく、例えば、所定の機能を発揮する専用のハードウェア、所定の機能がコンピュータプログラムにより付与されたデータ処理システム、コンピュータプログラムによりデータ処理システムに実現された所定の機能、これらの任意の組み合わせ、等として実現することができる。
【００３８】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００３９】
本発明のデータ処理システムでは、特定スペースの利用者を個人識別すると、その利用者ごとに継続的なデジタルコンテンツの一部を提供する。このため、利用者が継続的に興味を持ちつづける特別なデジタルコンテンツを特定スペースで提供することができる。従って、特定スペースの利用を積極的に促進することができるので、例えば、その特定スペースで消費される特定消費商品の販売を促進するようなことができる。しかも、特定スペースの利用者をストレスなく個人識別することができるので、例えば、その特定スペースの利用状況をデータ収集することもできる。このため、その特定スペースで消費される特定消費商品の、販売時点ではデータ収集できない消費状況をデータ収集するようなこともできる。
【発明を実施するための最良の形態】
【００４０】
本発明の実施の一形態を図面を参照して以下に説明する。本実施の形態のデータ処理システム１００は、特定スペースである喫煙スペースＳＳで利用者に所定サービスを提供するために利用される。
【００４１】
このため、本実施の形態のデータ処理システム１００は、図１に示すように、継続的なデジタルコンテンツＤＣを記憶するコンテンツ記憶部１１０と、喫煙スペースＳＳに設置されていてデジタルコンテンツＤＣを表示出力するディスプレイデバイス１２０と、喫煙スペースＳＳで利用者を個人識別する個人識別部１３０と、個人識別される利用者ごとにデジタルコンテンツＤＣの出力経過状況を記録する履歴記録部１４０と、利用者が個人識別されると出力経過状況に対応してデジタルコンテンツＤＣの一部をディスプレイデバイス１２０に表示出力させる出力制御部１５０と、を有する。
【００４２】
さらに、本実施の形態のデータ処理システム１００は、喫煙スペースＳＳで消費される特定消費商品であるタバコパックＴＰから商品ＩＤデータを取得する商品読取部であるバーコードリーダ１６０と、取得された商品ＩＤデータによりタバコパックＴＰを確認する商品確認部１７０と、も有する。このため、出力制御部１５０は、タバコパックＴＰが確認されないとデジタルコンテンツＤＣをディスプレイデバイス１２０に表示出力させない。
【００４３】
また、コンテンツ記憶部１１０は、複数種類のデジタルコンテンツＤＣを記憶している。商品確認部１７０は、複数種類のタバコパックＴＰごとに商品ＩＤデータを確認する。そこで、出力制御部１５０は、タバコパックＴＰの種類に対応してディスプレイデバイス１２０に表示出力させるデジタルコンテンツＤＣの種類を切り換える。
【００４４】
より具体的には、データ処理システム１００が適用される喫煙スペースＳＳは、例えば、建物に用意された一室などからなる。図２に示すように、その喫煙スペースＳＳには複数の座席ＰＳが用意されており、その座席ＰＳごとにディスプレイデバイス１２０とバーコードリーダ１６０とが設置されている。
【００４５】
ディスプレイデバイス１２０は、例えば、いわゆるベールビューＬＣＤ（Liquid Crystal Display）などの、視野角が所定範囲に限定されている狭視野角ディスプレイからなる。
【００４６】
そして、相互に対応している座席ＰＳとディスプレイデバイス１２０とは、ディスプレイデバイス１２０の視野角に座席ＰＳが配置されているとともに、座席ＰＳに着席した利用者の視認範囲にディスプレイデバイス１２０が配置されている。
【００４７】
さらに、相互に対応していない座席ＰＳとディスプレイデバイス１２０とは、ディスプレイデバイス１２０の視野角の外側に座席ＰＳが配置されているとともに、座席ＰＳに着席した利用者の視認範囲の外側にディスプレイデバイス１２０が配置されている。
【００４８】
そして、個人識別部１３０は、座席ＰＳごとに利用者を個人識別することで、喫煙スペースＳＳに設置されている複数のディスプレイデバイス１２０ごとに利用者を個人識別する。このため、出力制御部１５０は、利用者が個人識別された座席ＰＳに対応した位置のディスプレイデバイス１２０にデジタルコンテンツＤＣを表示出力させる。
【００４９】
喫煙スペースＳＳのバックヤードにはデータベースサーバ１０１が設置されており、このデータベースサーバ１０１に複数のディスプレイデバイス１２０と複数のバーコードリーダ１６０とが接続されている。
【００５０】
データベースサーバ１０１には適正なコンピュータプログラムが実装されている。このコンピュータプログラムに対応してデータベースサーバ１０１が各種の処理動作を実行することにより、上述の各部１１０，１３０〜１５０，１７０が論理的に実現されている。
【００５１】
また、図３に示すように、商品ＩＤデータは、タバコパックＴＰに表記されている商品バーコードＴＢに記録されており、例えば、バーコードリーダ１６０で光学読取されるＪＡＮ（Japanese Article Number）コードである。
【００５２】
なお、当然ながら、喫煙スペースＳＳは、特定の年齢層のみ入場が許可される年齢制限スペースからなる。タバコパックＴＰは、特定の年齢層の対象者のみ購入が許可される年齢制限商品からなる。
【００５３】
上述のような構成において、本実施の形態のデータ処理システム１００は、喫煙スペースＳＳの利用者にデジタルコンテンツＤＣを提供することができる。このデジタルコンテンツＤＣは、例えば、ディスプレイデバイス１２０で視聴できるデジタルコミックからなる。
【００５４】
より詳細には、本実施の形態のデータ処理システム１００では、喫煙スペースＳＳの利用者が着座する座席ＰＳごとのディスプレイデバイス１２０に、図４に示すように、「コンテンツの継続利用を要望される方は、以下の方法で識別を御願いします。初めての方は、以下の方法で登録を御願いします。なお、登録データはコンテンツの継続提供以外の目的に利用されることはなく、本システムの外部に提供されることもありません」などのガイダンスメッセージが、個人識別方法の説明とともに表示出力されている(ステップＳ１)。
【００５５】
そこで、デジタルコンテンツＤＣの利用を要望する利用者は、個人識別部１３０で個人識別や初回登録を実行する。この個人識別や初回登録のデータ入力は、例えば、指紋などの生体データの取得、運転免許証などの画像データの取得、クレジットカードなどの磁気データの取得、ＩＣカードなどの記録データの取得、等で実行される。
【００５６】
データ処理システム１００は、上述のようなデータ入力が実行されると(ステップＳ２−Ｙ)、その入力データで個人識別処理を実行する(ステップＳ３)。この場合、初回登録ならば入力データが登録され、継続利用ならば入力データに一致する登録データが検索される(ステップＳ３)。
【００５７】
この継続利用で個人識別に失敗すると(ステップＳ４−Ｎ)、「登録ユーザと確認できませんでした、初回登録を御願いします」などのエラーガイダンスがディスプレイデバイス１２０に表示出力されてから(ステップＳ１４)、初期状態に復帰する(ステップＳ１)。
【００５８】
一方、上述の個人識別処理に成功すると(ステップＳ４−Ｙ)、「お手持ちのタバコのバーコードをリーダに対向させてください」などのガイダンスメッセージがディスプレイデバイス１２０に表示出力される(ステップＳ５)。
【００５９】
そこで、利用者が所持しているタバコパックＴＰの商品バーコードＴＢをバーコードリーダ１６０に光学読取させると、これを検知したデータ処理システム１００は(ステップＳ６−Ｙ)、その商品ＩＤデータに該当するデジタルコンテンツＤＣを検索する(ステップＳ７)。
【００６０】
これでデジタルコンテンツＤＣが検索されないと(ステップＳ８−Ｎ)、「この商品のバーコードではコンテンツを利用できません。タバコのバーコードをリーダに対向させてください」などのエラーガイダンスがディスプレイデバイス１２０に表示出力される(ステップＳ１４)。
【００６１】
一方、タバコパックＴＰの商品ＩＤデータに該当するデジタルコンテンツＤＣが検索されると(ステップＳ８−Ｙ)、個人識別結果に対応して出力経過状況が読み出される(ステップＳ９)。
【００６２】
そして、この出力経過状況に対応してデジタルコンテンツＤＣから一部が選択され(ステップＳ１０)、その選択された一部のデジタルコンテンツＤＣがディスプレイデバイス１２０に表示出力される(ステップＳ１１)。
【００６３】
このため、利用者が提示したタバコ銘柄に対応して複数のデジタルコンテンツＤＣから一つが選択され、その利用者ごとにデジタルコンテンツＤＣの前回に継続する部分が表示出力される。
【００６４】
より具体的には、上述のようなデータ処理システム１００には、例えば、複数種類のデジタルコミックがタバコ銘柄ごとに登録され、上述のようにバーコード読取によりタバコ銘柄に対応したデジタルコミックが選択される。
【００６５】
そのデジタルコミックが全２０００ページの場合、一回に２０ページが一部として表示出力される。この表示出力されるページ数は、例えば、一本の紙巻タバコの喫煙中に支障なく視聴できるように設定される。
【００６６】
そして、利用者がタッチパネルからなるディスプレイデバイス１２０の手動操作などでデジタルコンテンツＤＣの表示部分の視聴を終了すると(ステップＳ１２)、「御利用有り難う御座いました。続きは１２時間以上経過してからアクセスしていただきますと視聴できます。以下のタバコで以下のデジタルコミックを視聴できます。」などのガイダンスデータがディスプレイデバイス１２０に表示出力される(ステップＳ１３)。
【００６７】
そこで、このガイダンスデータを確認した利用者が、上記時間の経過以後に再度アクセスすると、またデジタルコンテンツＤＣの前回に継続する部分が提供される。なお、上記時間の経過以前に再度アクセスすると、デジタルコンテンツＤＣの前回部分を再度視聴することができる。
【００６８】
当然ながら、初回登録の利用者などには、デジタルコンテンツＤＣの最初の部分が提供される。また、そのデジタルコンテンツＤＣが最後の部分まで提供されるごとに、次段のデジタルコンテンツＤＣの提供が開始される。なお、利用者は複数のタバコ銘柄でアクセスすることにより、複数種類のデジタルコンテンツＤＣを視聴することもできる。
【００６９】
本実施の形態のデータ処理システム１００は、上述のように喫煙スペースＳＳの利用者を個人識別すると、その利用者ごとに継続的なデジタルコンテンツＤＣの一部を提供する。
【００７０】
このため、利用者が継続的に興味を持ちつづける特別なデジタルコンテンツＤＣを喫煙スペースＳＳで提供することができる。従って、喫煙スペースＳＳの利用を積極的に促進することができるので、例えば、その喫煙スペースＳＳで消費されるタバコパックＴＰの販売を促進するようなことができる。
【００７１】
また、データ処理システム１００は、利用者ごとにデジタルコンテンツＤＣを継続的に提供するため、その利用者を個人識別している。しかし、その個人識別は利用者を個別に区分するためのみ実行されている。
【００７２】
このため、データ処理システム１００に利用者が姓名や住所などのプライバシ情報を登録する必要がない。従って、利用者のプライバシが侵害されることがなく、喫煙者も抵抗なくデータ処理システム１００を利用することができる。
【００７３】
さらに、本実施の形態のデータ処理システム１００では、複数種類のデジタルコンテンツＤＣを記憶しており、複数種類のタバコパックＴＰごとに商品ＩＤデータを確認し、タバコパックＴＰの種類に対応してディスプレイデバイス１２０に表示出力させるデジタルコンテンツＤＣの種類を切り換える。
【００７４】
このため、利用者は愛飲している銘柄に対応したデジタルコンテンツＤＣを視聴することができる。また、他のデジタルコンテンツＤＣを視聴したい場合には、複数種類のタバコ銘柄を所持する必要があるので、さらにタバコパックＴＰの販売を促進することができる。さらに、人気のデジタルコンテンツＤＣの提供を新製品のタバコ銘柄に限定することにより、新発売のタバコ銘柄の売上を促進させるようなこともできる。
【００７５】
また、本実施の形態のデータ処理システム１００では、上述のようにタバコパックＴＰの商品ＩＤデータを取得できないとデジタルコンテンツＤＣを提供しない。このため、タバコパックＴＰを購入できない未成年が、喫煙スペースＳＳでデジタルコンテンツＤＣを視聴するようなことを簡単かつ確実に防止できる。
【００７６】
当然ながら、喫煙スペースＳＳの利用者はタバコパックＴＰを所持しており、タバコパックＴＰを所持していない利用者が喫煙スペースＳＳに入場することはない。このため、適正な利用者には問題なくデジタルコンテンツＤＣを提供することができる。
【００７７】
しかも、上述のようにデジタルコンテンツＤＣの提供の制御に利用する商品ＩＤデータは、タバコパックＴＰに表記されている既存の商品バーコードＴＢからなる。このため、デジタルコンテンツＤＣの提供を制御するためにタバコパックＴＰに専用の工夫などが必要なく、その商品ＩＤデータも既存のバーコードリーダ１６０で簡単に取得することができる。
【００７８】
また、喫煙スペースＳＳに設置されている複数のディスプレイデバイス１２０ごとに利用者を個人識別し、利用者が個人識別された座席ＰＳに対応した位置のディスプレイデバイス１２０にデジタルコンテンツＤＣを表示出力させる。このため、利用者は所望の座席ＰＳで自身専用のデジタルコンテンツＤＣの継続部分を視認することができる。
【００７９】
さらに、ディスプレイデバイス１２０が狭視野角ディスプレイからなり、相互に対応しているディスプレイデバイス１２０の視野角に座席ＰＳが配置されているとともに、座席ＰＳに着席した利用者の視認範囲にディスプレイデバイス１２０が配置されており、相互に対応していないディスプレイデバイス１２０の視野角の外側に座席ＰＳが配置されているとともに、座席ＰＳに着席した利用者の視認範囲の外側にディスプレイデバイス１２０が配置されている。
【００８０】
このため、利用者は自身のデジタルコンテンツＤＣは問題なく視認できるが、隣席などのデジタルコンテンツＤＣを視認することはない。従って、利用者には自身のデジタルコンテンツＤＣのみを視認させることができる。
【００８１】
つまり、自身のデジタルコンテンツＤＣの継続部分に該当する他人のデジタルコンテンツＤＣを視認するようなことがないので、利用者による喫煙スペースＳＳの継続利用を促進することができる。さらに、喫煙スペースＳＳが隔離された室内ではなく、屋外のオープンスペースの場合でも、適正な利用者のみにデジタルコンテンツＤＣを提供することができる。
【００８２】
なお、本発明は本実施の形態に限定されるものではなく、その要旨を逸脱しない範囲で各種の変形を許容する。例えば、上記形態では年齢制限媒体が年齢制限商品であるタバコパックＴＰからなり、特定スペースが年齢制限スペースである喫煙スペースＳＳであることを例示した。
【００８３】
しかし、このような年齢制限商品がアルコール飲料であり、特定スペースが飲酒スペースであってもよい。また、年齢制限商品が場外馬券であり、特定スペースが競馬場であってもよい。
【００８４】
さらに、年齢制限媒体が、特定の年齢層の対象者のみ所持できる、運転免許証、クレジットカード、特定のＩＣ（Integrated Circuit）カードなどであってもよい。例えば、年齢制限媒体が、いわゆるパチンコ玉を購入できるＩＣカードであり、特定スペースが、いわゆるパチンコ屋であってもよい。
【００８５】
また、上記形態ではデジタルコンテンツＤＣがデジタルコミックからなり、その一部が順番に提供されることを例示した。しかし、このようなデジタルコンテンツＤＣとしては、例えば、映画などの動画でもよい。
【００８６】
さらに、デジタルコンテンツＤＣが継続的なテレビゲームからなってもよい。例えば、デジタルコンテンツＤＣが常時稼働している仮想空間からなり、その一部の利用が仮想空間へのアクセスからなってもよい。
【００８７】
この場合、喫煙スペースＳＳの利用者が自身に固有のキャラクタで仮想空間にアクセスすることになる。そのアクセス中の行動によりキャラクタの経験値などが変化するが、その経験値は次回に継続する。
【００８８】
また、上記形態では複数種類のデジタルコンテンツＤＣがタバコ銘柄に対応して一対一に選択されることを例示した。しかし、デジタルコンテンツＤＣが一つしか用意されていなくともよい。
【００８９】
さらに、タバコ銘柄ごとに複数種類のデジタルコンテンツＤＣが用意されていてもよく、複数種類のタバコ銘柄と複数種類のデジタルコンテンツＤＣとが一部重複する組み合わせで対応されていてもよい。
【００９０】
また、上記形態では年齢制限商品であるタバコパックＴＰに商品ＩＤデータが商品バーコードＴＢとして表記されていることを例示した。しかし、このような年齢制限商品にＲＦＩＤチップが貼付されており、このＲＦＩＤチップに商品ＩＤデータが記録されており、データ処理システムがＲＦＩＤリーダで商品ＩＤデータを取得してもよい(図示せず)。
【００９１】
さらに、上記形態では喫煙スペースＳＳが建物に用意された一室からなることを例示した。しかし、喫煙スペースＳＳが、鉄道車両に用意された喫煙車、飲食店に用意された喫煙席、等であってもよい。
【００９２】
また、喫煙スペースＳＳが、屋外に用意されたオープンスペースでもよい（図示せず）。このように喫煙スペースが屋外に用意されている場合、例えば、複数の狭視野角のディスプレイデバイス１２０ごとに個人識別部１３０を設置しておき、これで利用者を個人識別したときに対応するディスプレイデバイス１２０でデジタルコンテンツＤＣを表示すればよい。
【００９３】
この場合、屋外のオープンスペースに設置されているディスプレイデバイス１２０は周囲から自由に視認されるが、このディスプレイデバイス１２０が狭視野角であるため、正面に相対する利用者でないとデジタルコンテンツＤＣの視認は困難である。このため、デジタルコンテンツＤＣを正当な利用者のみに提供することができる。
【００９４】
さらに、視野角が下方に設定されているディスプレイデバイス１２０を上方に配置し、その表示画面を下側に傾斜させておくようなこともできる。そして、ディスプレイデバイスの下方に個人識別部１３０を設置しておき、これで利用者を個人識別したときのみデジタルコンテンツＤＣを表示する(図示せず)。
【００９５】
この場合、利用者が所望のディスプレイデバイス１２０の下方で個人識別されると、そのディスプレイデバイス１２０から下方の利用者にデジタルコンテンツＤＣが表示される。
【００９６】
この場合も、上方に位置するディスプレイデバイス１２０は周囲から自由に視認されるが、その下方に位置する利用者でないとデジタルコンテンツＤＣを視認することは困難である。
【００９７】
なお、現在では視野角の方向を制御できるディスプレイデバイスもある(図示せず)。そこで、このようなディスプレイデバイスを屋外に設置しておき、個人識別部１３０で利用者が個人識別されたときに、その個人識別部１３０の方向に視野角を制御してデジタルコンテンツＤＣを提供してもよい。
【００９８】
さらに、上記形態では喫煙スペースＳＳには利用者が自由に出入りでき、デジタルコンテンツＤＣの提供が個人識別とタバコパックＴＰの確認により制御されることを例示した。
【００９９】
しかし、上述のような個人識別やタバコパックＴＰの確認により喫煙スペースＳＳへの入場を制限してもよい。その場合、例えば、喫煙スペースＳＳの入口に電動ゲートとバーコードリーダを設置しておき(図示せず)、タバコパックＴＰの商品バーコードＴＢを確認できないと喫煙スペースＳＳへの入場を許可しないようなことができる(図示せず)。
【０１００】
当然ながら、喫煙スペースＳＳの利用者はタバコパックＴＰを所持しており、タバコパックＴＰを所持していない利用者が喫煙スペースＳＳに入場することはない。このため、適正な利用者は問題なく喫煙スペースＳＳに入場させることができる。
【０１０１】
さらに、上記形態ではデータ処理システム１００が利用者のタバコパックＴＰから取得した商品ＩＤデータを提供するデジタルコンテンツＤＣの切り替えに利用することを例示した。
【０１０２】
しかし、このようなデータ処理システムが、商品ＩＤデータを取得日時とともに蓄積するデータ蓄積部と、取得日時とともに蓄積された商品ＩＤデータの集計結果を出力する集計出力部とを、さらに有してもよい(図示せず)。
【０１０３】
この場合、喫煙スペースＳＳで、どの銘柄を、どの時間帯に、どの程度の人数が喫煙しているか、などをデータ収集することができる。従って、いわゆるＰＯＳ（Point Of Sales）システムにより実施されている販売状況のデータ収集とは相違して、タバコパックＴＰの消費状況をデータ収集することができる。
【０１０４】
さらに、データ処理システムが、複数の喫煙スペースＳＳごとに属性データを記憶しており、複数の喫煙スペースＳＳごとに商品ＩＤデータを蓄積し、その集計結果を喫煙スペースＳＳごとに属性データとともに出力してもよい。
【０１０５】
この場合、どの銘柄を、どの時間帯に、どの程度の人数が、喫煙しているかを、オフィス街、繁華街、サービスエリア、などの地域特性とともにデータ収集することができる。
【０１０６】
タバコパックＴＰは、いわゆるカートンボックスで販売されることもあり、販売状況と消費状況に多分に乖離があった。しかし、上述のようなデータ収集により消費状況もデータ収集することができるので、より緻密な販売戦略の立案や製品開発などを実行できることになる。
【０１０７】
また、個人識別結果を取得日時とともに蓄積し、取得日時とともに蓄積された個人識別結果の集計結果を出力してもよい。この場合、どの人物が、どの銘柄を、どの時間帯に喫煙しているか、などをデータ収集することができる。この場合でも、個人のプライバシは収集することなく、利用者を個別に識別のみしてデータ収集を実行することができる。
【０１０８】
さらに、ディスプレイデバイス１２０と個人識別部１３０とが複数の喫煙スペースＳＳに設置されており、履歴記録部１４０は、複数の喫煙スペースＳＳを横断して利用者ごとに出力経過状況を記録し、出力制御部１５０は、利用者が個人識別された喫煙スペースＳＳに出力経過状況に対応したデジタルコンテンツＤＣを配信してもよい(図示せず)。
【０１０９】
この場合、利用者は複数の喫煙スペースＳＳの何処でも、デジタルコンテンツＤＣを継続的に利用することができる。このため、平日はオフィス街の喫煙スペースＳＳでデジタルコンテンツＤＣを視認し、休日は繁華街の喫煙スペースＳＳでデジタルコンテンツＤＣを視認する、などのことができる。
【０１１０】
また、上記形態ではディスプレイデバイス１２０が狭視野角ディスプレイからなり、一対一に対応する座席ＰＳの利用者のみにデジタルコンテンツＤＣを提供することを例示した。
【０１１１】
しかし、ディスプレイデバイスが、複数のデジタルコンテンツＤＣを各々所定の視野角で複数方向に表示出力するマルチビューディスプレイからなり、相互に対応している座席ＰＳとディスプレイデバイスとは、ディスプレイデバイスの複数の視野角の各々に座席ＰＳが配置されているとともに、座席ＰＳに着席した利用者の視認範囲にディスプレイデバイスが配置されていてもよい(図示せず)。
【０１１２】
この場合、個人識別部１３０は、座席ＰＳごとに利用者を個人識別し、出力制御部１５０は、利用者が個人識別された座席ＰＳに対応した表示方向でディスプレイデバイスにデジタルコンテンツＤＣを表示出力させる。
【０１１３】
上述のようなディスプレイデバイスは、複数方向に相違するデジタルコンテンツＤＣを同時に表示出力することができる。このため、一個のディスプレイデバイスで複数の利用者に個々にデジタルコンテンツＤＣを提供することができる。
【０１１４】
さらに、上記形態では喫煙スペースＳＳの利用者にディスプレイデバイス１２０でデジタルコンテンツＤＣのみ提供することを例示した。しかし、図５に示すように、データ処理システム２００が顧客訴求データＣＭを記憶するデータ記憶部２１０を有してもよい。
【０１１５】
このデータ処理システム２００では、出力制御部１５０は、デジタルコンテンツＤＣとともに顧客訴求データＣＭをディスプレイデバイスに表示出力させる。より詳細には、顧客訴求データＣＭは、例えば、タバコパックＴＰの広告動画からなる。
【０１１６】
そして、図６に示すように、データ処理システム２００は、利用者を個人識別すると顧客訴求データＣＭを読み出して表示出力してから(ステップＴ１１〜Ｔ１３)、デジタルコンテンツＤＣを表示出力する(ステップＴ１４〜)。
【０１１７】
このため、デジタルコンテンツＤＣを提供する利用者に顧客訴求データＣＭも提供することができる。また、上述のようなデータ処理システム２００が、ディスプレイデバイス１２０に常時は顧客訴求データＣＭを表示出力させ、利用者が個人識別されたときにデジタルコンテンツＤＣを表示出力させてもよい。
【０１１８】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１１９】
【図１】本発明の実施の形態のデータ処理システムの論理構造を示す模式的なブロック図である。
【図２】データ処理システムの物理構造を示す模式的なブロック図である。
【図３】年齢制限商品であるタバコパックの外観を示す斜視図である。
【図４】データ処理システムの処理動作を示すフローチャートである。
【図５】一変形例のデータ処理システムの論理構造を示す模式的なブロック図である。
【図６】一変形例のデータ処理システムの処理動作を示すフローチャートである。
【符号の説明】
【０１２０】
１００    データ処理システム
１０１    データベースサーバ
１１０    コンテンツ記憶部
１２０    ディスプレイデバイス
１３０    個人識別部
１４０    履歴記録部
１５０    出力制御部
１６０    バーコードリーダ
１７０    商品確認部
２００    データ処理装置
２１０    データ記憶部
ＣＭ    顧客訴求データ
ＤＣ    デジタルコンテンツ
ＰＳ    座席
ＳＳ    喫煙スペース
ＴＢ    商品バーコード
ＴＰ    タバコパック
【図１】
2009037554.tif 000003
【図２】
2009037554.tif 000004
【図３】
2009037554.tif 000005
【図４】
2009037554.tif 000006
【図５】
2009037554.tif 000007
【図６】
2009037554.tif 000008